(57)【要約】  容器と同様に合成樹脂で構成され、且つ、ストローを簡単に突き刺すことが出来て、しかも、衝撃が付加されても内容物である飲料が漏出しない様な飲料用容器の蓋を提供することを目的としている。  本発明の飲料用容器の蓋は、全体が合成樹脂（Ｒ）で形成され、その一部（例えば、中央）に実質的に円形のストロー突き刺し用の領域（２０）が設けられており、ストロー突き刺し用の領域（２０）には合成樹脂材料の厚さの１／４〜１／２の深さの切り込み部分（Ｈｃ）を複数形成し、ストロー突き刺し用の領域（２０）の直径が８．０ｍｍ以下であり、切り込み部分（Ｈｃ）の長さが３．０ｍｍ以下である。
2010024148.tif 000002
【特許請求の範囲】
【請求項１】
全体が合成樹脂（Ｒ）で形成され、その一部に実質的に円形のストロー突き刺し用の領域（２０）が設けられており、ストロー突き刺し用の領域（２０）には合成樹脂材料の厚さの１／４〜１／２の深さの切り込み部分（Ｈｃ）を複数形成し、ストロー突き刺し用の領域（２０）の直径が８．０ｍｍ以下であり、切り込み部分（Ｈｃ）の長さが３．０ｍｍ以下であることを特徴とする飲料用容器の蓋。
【請求項２】
ストロー突き刺し用の領域（２０）には、ストロー突き刺し用の領域（２０）の最外殻の仮想円を定義する円弧状の切り込み部分（Ｃ１、Ｃ２、Ｃ３）と、円弧状の切り込み部分（Ｃ１、Ｃ２、Ｃ３）によって定義された仮想円の内側の領域に形成されて、頂点が前記仮想円の外側に位置し且つ重心が前記仮想円の中心と一致する様な仮想正三角形を定義する第１の直線状切り込み部分（ＴＬ１、ＴＬ２、ＴＬ３）と、前記仮想円の中心から前記仮想円の半径方向外方へ延在する第２の直線状切り込み部分（ＴＬＣ１、ＴＬＣ２、ＴＬＣ３）と、第１の直線状切り込み部分（ＴＬ１、ＴＬ２、ＴＬ３）と第２の直線状切り込み部分（ＴＬＣ１、ＴＬＣ２、ＴＬＣ３）との間の領域で第１の直線状切り込み部分（ＴＬ１、ＴＬ２、ＴＬ３）と平行に延在する第３の直線状切り込み部分（ＴＬＭ１、ＴＬＭ２、ＴＬＭ３）が形成されている請求項１の飲料用容器の蓋。
【請求項３】
第２の直線状切り込み部分（ＴＬＣ１、ＴＬＣ２、ＴＬＣ３）を半径方向外方に延長した領域（ＵＨｃ１、ＵＨｃ２、ＵＨｃ３）には、切り込み部分（Ｈｃ）が形成されていない請求項２の飲料用容器の蓋。
【請求項４】
円弧状の切り込み部分（Ｃ１〜Ｃ３）及び第１の直線状切り込み部分（ＴＬ１〜ＴＬ３）は、切り込み部分が形成されていない領域（Ｃ１Ｂ、Ｃ２Ｂ、Ｃ３Ｂ、ＴＬ１Ｂ、ＴＬ２Ｂ、ＴＬ３Ｂ）によって分離されている請求項２、３の何れかの飲料用容器の蓋。
【発明の詳細な説明】
【技術分野】
【０００１】
本発明は、流体状の飲食物を充填した容器開口部を封止する蓋に関する。より詳細には、本発明は、樹脂製の蓋であって、ストロー等で容易に突き刺すことが出来る蓋の構造に関する。
【背景技術】
【０００２】
飲料或いは流体状の飲食物は、容器の開口部から他の容器に注いで飲む（摂取する）ことが出来るし、容器の開口部に口を付けて直接飲むことも出来て、さらに、容器を封止する蓋にストロー等を突き刺して貫通し、当該ストロー等により飲むことも出来る。
従来は、飲料或いは流体状の飲食物は、例えば、プラスチック製の容器にアルミキャップ（アルミニウム箔と樹脂との積層体）で蓋をしている場合が多かった。そのため、ストロー等を突き刺して、内容物（流体状の飲食物）をストローで吸引することが容易であった。【０００３】
しかし、昨今、環境対策として家庭ゴミを複数種類に分別して廃棄することが義務つけられている。そして、ゴミの種類によって、自治体で回収する日が異なっている。
プラスチックの様な合成樹脂と、アルミキャップの様な不燃ゴミとは、分別して廃棄しなければならず、流体状の飲食物を飲んだ者は、容器（例えばプラスチック製）と、蓋（例えば、アルミニウム箔と樹脂との積層体）とを分離して、別々に、廃棄しなければならない。また、容器と蓋とでは、別々の日に集積所まで運搬して、回収して貰う必要があった。
その様に、容器と蓋とを分別して、別種類のゴミとして廃棄することは、ユーザーにとって、大きな負担となっている。【０００４】
これに対して、容器と蓋とを共に合成樹脂（例えばプラスチック）で製造し、廃棄する際には同一種類のゴミとして、分別する必要が無い様にする試みが為されている。
ここで、出願人の実験によれば、アルミキャップをプラスチック製のストローで突き刺す場合には、８．８３Ｎの力で貫通することが出来る。これに対して、合成樹脂製の蓋をプラスチック製のストローで突き刺す場合には、２７．２０Ｎの力が必要である。
すなわち、蓋を合成樹脂で製造した場合には、内容物（流体上の飲食物）を飲むために、容器に添付されているプラスチック製のストローを突き刺して、蓋を貫通することが、従来のアルミキャップの場合に比較して、困難になるという問題が存在している。【０００５】
その他の従来技術として、容器の蓋体を合成樹脂で構成し、ストローを突き刺す部分の合成樹脂材料を薄くして、ストローを突き刺し易くした技術が提案されている（特許文献１）。
ここで、容器の蓋が充足するべき性質としては、多少の衝撃が作用しても破損しないことが要求される。流通過程において、当該蓋をした容器が大量に運搬される段階で、衝撃が付加される場合があり、また、一般ユーザーが内容物を充填して蓋体が外される以前の状態の容器を落としてしまう場合が想定されるからである。
しかし、この技術（特許文献１）では、ストローを突き刺す部分の合成樹脂材料を薄くしているので、外部から衝撃が付加された場合に、当該薄くした部分が破損して、内容物が漏出してしまう恐れがある。【０００６】
また、プラスチック製容器の蓋材をプラスチック製材料で構成し、且つ、ストローを突き刺し易くするための切り込み部を形成した技術も提案されている。
しかし、この技術においても、切り込み部における耐衝撃性が考慮されておらず、衝撃が付加された場合に切り込み部、特にその端部に応力集中が生じ、亀裂が進展してしまい、当該亀裂から内容物が漏出してしまう恐れが存在する。
【特許文献１】実開昭４８−４９０７５号公報
【特許文献２】特開平７−６１４６９号公報
【発明の開示】
【発明が解決しようとする課題】
【０００７】
本発明は上述した従来技術の問題点に鑑みて提案されたものであり、容器と同様に蓋を合成樹脂で構成し、且つ、合成樹脂製の蓋にストローを簡単に突き刺すことが出来て、しかも、衝撃が付加されても内容物である飲料が漏出しない様な飲料用容器の蓋を提供することを目的としている。
【課題を解決するための手段】
【０００８】
発明者は、合成樹脂（Ｒ）製の蓋（１０）に対して、レーザー加工技術の一種である「ハーフカット加工」を施せば、当該加工が施された箇所（ストロー突き刺し用の領域／ストロー孔部分：２０）の強度が減少して、ストロー（１４）を蓋（１０）に突き刺して容易に貫通することが出来ることに着目した。
また、蓋（１０）における亀裂の進展を防止するためには、ストロー突き刺し用の領域（ストロー孔部分２０）の代表寸法（例えば、円形のストロー孔部分２０であれば、その直径）を所定値以下に抑えると共に、上記「ハーフカット加工」を施した箇所（ハーフカット部分）の長さも一定値以下にすることが有効であることを見出した。【０００９】
本発明は係る知見から提案されたものであり、本発明の飲料用容器の蓋は、全体が合成樹脂（Ｒ）で形成され、その一部（例えば、中央）に実質的に円形のストロー突き刺し用の領域（ストロー孔部分２０）が設けられており、ストロー突き刺し用の領域（２０）には合成樹脂材料の厚さの１／４〜１／２（好ましくは約１／３）の深さの切り込み部分（ハーフカットＨｃ）を複数形成し、ストロー突き刺し用の領域（２０）の直径（Ｒ１×２）が８．０ｍｍ以下（好ましくは７．０ｍｍ以下）であり、切り込み部分（ハーフカットＨｃ）の長さが３．０ｍｍ以下（好ましくは２．５ｍｍ以下）であることを特徴としている（請求項１）。【００１０】
本発明において、ストロー突き刺し用の領域（２０）には、ストロー突き刺し用の領域（２０）の最外殻の仮想円を定義する円弧状の切り込み部分（ハーフカット部分Ｃ１、Ｃ２、Ｃ３）と、円弧状の切り込み部分（ハーフカット部分Ｃ１、Ｃ２、Ｃ３）によって定義された仮想円の内側の領域に形成されて、頂点が前記仮想円（ハーフカット部分Ｃ１、Ｃ２、Ｃ３によって定義される仮想円）の外側に位置し且つ重心が前記仮想円の中心（未ハーフカット部分ＢＣＣの中心）と一致する様な仮想正三角形を定義する第１の直線状切り込み部分（ハーフカット部分ＴＬ１、ＴＬ２、ＴＬ３）と、前記仮想円の中心（未ハーフカット部分ＢＣＣの中心）から前記仮想円の半径方向外方へ延在する第２の直線状切り込み部分（ハーフカット部分ＴＬＣ１、ＴＬＣ２、ＴＬＣ３）と、第１の直線状切り込み部分（ハーフカット部分ＴＬ１、ＴＬ２、ＴＬ３）と第２の直線状切り込み部分（ハーフカット部分ＴＬＣ１、ＴＬＣ２、ＴＬＣ３）との間の領域で第１の直線状切り込み部分（ハーフカット部分ＴＬ１、ＴＬ２、ＴＬ３）と平行に延在する第３の直線状切り込み部分（ハーフカット部分ＴＬＭ１、ＴＬＭ２、ＴＬＭ３）が形成されているのが好ましい（請求項２）。【００１１】
また本発明において、第２の直線状切り込み部分（ハーフカット部分ＴＬＣ１、ＴＬＣ２、ＴＬＣ３）を半径方向外方に延長した領域（ＵＨｃ１、ＵＨｃ２、ＵＨｃ３）には、切り込み部分（ハーフカットＨｃ）が形成されていないことが好ましい（請求項３）。【００１２】
さらに本発明において、円弧状の切り込み部分（ハーフカット部分Ｃ１〜Ｃ３）及び第１の直線状切り込み部分（ハーフカット部分ＴＬ１〜ＴＬ３）は、切り込み部分が形成されていない領域（未ハーフカット部分Ｃ１Ｂ、Ｃ２Ｂ、Ｃ３Ｂ、ＴＬ１Ｂ、ＴＬ２Ｂ、ＴＬ３Ｂ）によって分離されているのが好ましい（請求項４）。
【発明の効果】
【００１３】
上述する構成を具備する本発明によれば、ストロー突き刺し用の領域（２０）には合成樹脂材料の厚さの１／４〜１／２（好ましくは約１／３）の深さの切り込み部分（ハーフカットＨｃ）を複数形成されているので、合成樹脂（Ｒ）製の蓋（１０）であっても、ストロー突き刺し用の領域（２０）であれば、ストロー（１４）により容易に突き刺すことが出来る。
ここで、切り込み部分（ハーフカットＨｃ）の深さは合成樹脂材料の厚さの１／４〜１／２（好ましくは約１／３）であり、ストロー突き刺し用の領域（２０）の直径（Ｒ１×２）が８．０ｍｍ以下（好ましくは７．０ｍｍ以下）であり、切り込み部分（ハーフカットＨｃ）の長さが３．０ｍｍ以下（好ましくは２．５ｍｍ以下）であるため、飲料用容器（１２）に衝撃が作用した場合や、ストロー（１４）で突き刺した場合でも、蓋（１０）或いはストロー突き刺し用の領域（２０）に亀裂が生じることや、切り込み部分（ハーフカットＨｃ）から亀裂が進展してしまうことが防止される。そのため、飲料用容器（１２）に衝撃が作用した場合に内容物である飲料が漏出してしまうことや、ストロー（１４）で突き刺した場合にストロー（１４）を突き刺した箇所以外から飲料が漏出してしまうことが防止される。
すなわち本発明によれば、衝撃が付加された場合等でも内容物が漏出することがなく、しかも、ストロー（１４）により容易に突き刺すことが出来る様な合成樹脂（Ｒ）製の蓋（１０）が提供されるのである。【００１４】
本発明において、ストロー突き刺し用の領域（２０）の最外殻の仮想円を定義する円弧状の切り込み部分（ハーフカット部分Ｃ１、Ｃ２、Ｃ３）を設ければ（請求項２）、同一の力でストロー（１４）が突き刺さる領域であるストロー突き刺し用の領域（２０）の最外殻を定義すると共に、ストロー（１４）を突き刺す目標箇所である前記仮想円の中心を、目視によって、容易且つ確実に決定することが出来る。
また、前記仮想円の中心（未ハーフカット部分ＢＣＣの中心）から前記仮想円の半径方向外方へ延在する第２の直線状切り込み部分（ハーフカット部分ＴＬＣ１〜ＴＬＣ３）を設ければ（請求項２）、三日月状の断面形状を有するストロー先端（１４Ｅ）で蓋（１０）を突き刺す際に、三日月状の断面形状を有するストロー先端（１４Ｅ）を押圧する力が、厚さ寸法が薄い（概略１／４〜１／２）第２の直線状切り込み部分（ＴＬＣ１〜ＴＬＣ３）へ確実に作用する。そのため、ストロー（１４）を突き刺す力による応力が集中し、第２の直線状切り込み部分（ＴＬＣ１〜ＴＬＣ３）が容易且つ確実に破損する。【００１５】
さらに、本発明において、頂点が前記仮想円（ハーフカット部分Ｃ１、Ｃ２、Ｃ３によって定義される仮想円）の外側に位置し且つ重心が前記仮想円の中心（未ハーフカット部分ＢＣＣの中心）と一致する様な仮想正三角形を定義する第１の直線状切り込み部分（ハーフカット部分ＴＬ１、ＴＬ２、ＴＬ３）と、第１の直線状切り込み部分（ハーフカット部分ＴＬ１、ＴＬ２、ＴＬ３）と第２の直線状切り込み部分（ハーフカット部分ＴＬＣ１、ＴＬＣ２、ＴＬＣ３）との間の領域で第１の直線状切り込み部分（ハーフカット部分ＴＬ１、ＴＬ２、ＴＬ３）と平行に延在する第３の直線状切り込み部分（ハーフカット部分ＴＬＭ１、ＴＬＭ２、ＴＬＭ３）を形成すれば（請求項２）、ストロー突き刺し用の領域（２０）において切り込み部分（ハーフカットＨｃ）が形成されていない部分（未ハーフカット部分）の面積が小さくなり、均一な力で且つ比較的小さな力でストロー（１４）を蓋（１０）に突き刺せることが確保される。【００１６】
また本発明において、第２の直線状切り込み部分（ハーフカット部分ＴＬＣ１、ＴＬＣ２、ＴＬＣ３）を半径方向外方に延長した領域（ＵＨｃ１、ＵＨｃ２、ＵＨｃ３）には、切り込み部分（ハーフカットＨｃ）が形成されていなければ（請求項３）、ストロー突き刺し用の領域（２０）をストロー（１４）で突き刺した際に、切り込み部分（ハーフカットＨｃ）で合成樹脂が裂けて、切り込み部分（ハーフカットＨｃ）で囲まれた領域（ＤＰ）が下方に垂れ下がったとしても、半径方向外方に延長した領域（ＵＨｃ１、ＵＨｃ２、ＵＨｃ３）が蓋（１０）に残存するため、切り込み部分（ハーフカットＨｃ）で囲まれた領域（ＤＰ）が蓋（１０）から分離して落下することはない。そのため、切り込み部分（ハーフカットＨｃ）で囲まれた領域（ＤＰ）が飲料品に混入してしまうことが防止される。（図９参照）。【００１７】
それに加えて、本発明において、円弧状の切り込み部分（ハーフカット部分Ｃ１〜Ｃ３）及び第１の直線状切り込み部分（ハーフカット部分ＴＬ１〜ＴＬ３）が、切り込み部分が形成されていない領域（未ハーフカット部分Ｃ１Ｂ、Ｃ２Ｂ、Ｃ３Ｂ、ＴＬ１Ｂ、ＴＬ２Ｂ、ＴＬ３Ｂ）によって分離されていれば（請求項４）、切り込み部分（ハーフカットＨｃ）の長さが３．０ｍｍ以下（好ましくは２．５ｍｍ以下）という条件を充足することが出来る。
【図面の簡単な説明】
【００１８】
【図１】本発明の実施形態の概要を示す斜視図。
【図２】実施形態にかかる蓋に形成された切り込み部分を示す部分拡大図。
【図３】実施形態に係る蓋で密封された容器を製造するラインを示す説明図。
【図４】図２で示す切り込み部分を蓋に形成する装置の概要を示す説明図。
【図５】蓋に形成された切り込み部分の詳細を示す拡大図。
【図６】図５で示す切り込み部分の寸法及び配置を説明するための拡大図。
【図７】図５で示す切り込み部分とストロー先端との位置関係を説明する拡大図。
【図８】図５で示す切り込み部分を形成していない部分を説明する拡大図。
【図９】ストローで蓋を貫通した状態を説明する部分拡大断面図。
【図１０】図５で示す切り込み部分とストロー突き刺し位置とを示す拡大図。
【符号の説明】
【００１９】
１・・・充填機
２・・・シール機
３・・・かしめ機構
４・・・レーザー加工装置
１０・・・蓋
１２・・・飲料用容器
１４・・・ストロー
１４Ｅ１、１４Ｅ２、１４Ｅ３、１４ＥＣ・・・ストロー先端の断面
２０・・・ストロー突き刺し用の領域／ストロー孔部分
Ｈｃ・・・切り込み部分／ハーフカット
Ｒ・・・合成樹脂材料
Ｃ１、Ｃ２、Ｃ３・・・ストロー孔部分の最外殻の円を定義する円弧状ハーフカット部分
ＴＬ１、ＴＬ２、ＴＬ３・・・ストロー孔部分に正三角形を定義する直線状ハーフカット部分
ＴＬＣ１、ＴＬＣ２、ＴＬＣ３・・・ストロー孔部分の中心から半径方向外方へ延在する直線状ハーフカット部分
ＴＬＭ１、ＴＬＭ２、ＴＬＭ３・・・ストロー孔部分に形成された直線状ハーフカット部分
Ｃ１Ｂ、Ｃ２Ｂ、Ｃ３Ｂ、ＴＬ１Ｂ、ＴＬ２Ｂ、ＴＬ３Ｂ、ＵＨｃ１、ＵＨｃ２、ＵＨｃ３・・・ハーフカット部分が形成されていない領域／未ハーフカット部分
ＢＣＣ・・・ストロー孔部分の中心
ａ、ｂ、ｃ、ｄ・・・ストロー突き刺し位置
【発明を実施するための最良の形態】
【００２０】
以下、添付図面を参照して、本発明の実施形態について説明する。
図１において、本発明の実施形態に係る蓋は全体が符号１０で示されており、飲料用容器１２の開口部（図１では容器１２の上方端部）を覆っている。なお、蓋１０は、アルミニウム箔を基材として含まない全体が合成樹脂のみで形成されている。例えば、ＰＳ（ポリスチレン）樹脂、ＡＳ（スチレン‐アクリロニトリル共重合体）樹脂、ＡＢＳ（アクリロニトリル‐ブタジエン‐スチレン共重合体）系樹脂、ＡＸＳ樹脂（アクリロニトリルとスチレン成分を有するターポリマー）等の合成樹脂の１種又は２種以上を基材とするものが挙げられる（特開２００４−７４７９６号公報、特開２００４−７６００９号公報、特開２００４−７６０１０号公報参照）。
図１では、ストロー１４を蓋１０に突き刺そうとする状態が示されており、ストロー１４の先端は、蓋１０中央に設けたストロー突き刺し用の領域（ストロー孔部分）２０に向かって移動している。【００２１】
後述する様に、ストロー孔部分２０は、複数の切り込み部分、すなわちハーフカットＨｃを、蓋１０を構成する合成樹脂材料に形成することによって、形成されている。図２は、蓋１０を構成する合成樹脂材料ＲにハーフカットＨｃを施した状態を示している。
図２から明らかなように、ハーフカットＨｃは、合成樹脂材料Ｒを、その厚さ方向寸法ｔの約１／４〜約１／２、好ましくは約１／３の深さＤまで切り込んだ断面三角形の切欠部として、形成されている。そして、図示の実施形態では、厚さ１９５μｍの合成樹脂材料Ｒに対して、ハーフカットＨｃの深さＤは約６０μｍ（蓋１０の材料の厚さに対して約１／３）に設定されている。【００２２】
図３は、ハーフカットＨｃを飲料用容器１２の蓋１０に形成して、ストロー孔部分２０を形成するためのシステムの概要を示している。
図３において、飲料品容器内に所定の内容物が充填され且つ適正にシールされた製品を製造するためのラインは、全体を符号Ｌで示されており、飲料用容器１２が搬送される搬送装置（例えば、ベルトコンベア）Ｃｖが設けられている。
搬送装置Ｃｖには、充填機１、シール機２、かしめ機構３、レーザー加工装置４が設けられている。【００２３】
充填機１において、空の飲料用容器１２内には、所定量の飲料品が充填される。そして、飲料品が充填された容器１２の開口部は、シール機２において、合成樹脂製の蓋材でシールされる。
シール機２でシールされた段階では合成樹脂製の蓋材は、単に容器１２の開口部を覆っているだけであるが、かしめ機構３において、蓋材の縁部１０Ｅ（図１参照）が容器１２の側面部の上縁部（開口側縁部）に沿う様に折り曲げられ、図１で示す様に容器１２の開口部を包囲する様に被覆する。
充填機１、シール機２、かしめ機構３は、公知の機器を適用可能である。【００２４】
かしめ機構３で蓋１０が容器１２の開口部を包囲する様に被覆した状態で、飲料用容器はレーザー加工装置４を設けた箇所を搬送する。
レーザー加工装置４は、公知・市販のレーザー加工用装置（例えば、株式会社キーエンス製造、販売の３次元制御のＣＯ２レーザーマーカー：商品名「ＭＬ−Ｚ９５００」）が使用可能である。
係るレーザー加工装置４により、飲料用容器１２の開口部を包囲する様に被覆した合成樹脂製の蓋１０の表面に、ハーフカットＨｃが形成される。【００２５】
図４は、レーザー加工装置４により、飲料用容器１２の開口部を被覆する蓋１０にハーフカットＨｃが形成される状態を示している。
図４において、搬送装置Ｃｖ上に載置された飲料用容器１２の開口部を被覆する蓋１０に対して、レーザー加工装置４のレーザー照射部４ＬＥからレーザー光線（例えばＣＯ２レーザー光線）が照射されている。
図４において、搬送装置Ｃｖは矢印ＡＣで示す方向に移動し続けており、蓋１０にハーフカットＨｃが形成される間も連続的に移動している。換言すれば、搬送装置Ｃｖは矢印ＡＣ方向に連続移動しており、ハーフカットＨｃの形成時に停止している訳ではない。そして、レーザー加工装置４は、比較的高速で移動している物体（例えば、搬送装置Ｃｖ上の飲料用容器１２の蓋１０）に対して、所望の形状通りに正確にハーフカットＨｃを形成するだけの加工能力を具備している。【００２６】
図５は、図示の実施形態において、レーザー加工装置４によりハーフカットＨｃを形成して構成されたストロー孔部分２０を示している。
ここで、蓋１０のストロー孔部分２０において、ハーフカットＨｃが形成された個々の曲線部分や直線部分については、「ハーフカット部分」と表記する。そして、ハーフカットＨｃが形成されていない部分については、「未ハーフカット部分」と表記する。
ストロー孔部分２０は、外縁部に円弧を構成する様に設けられた３箇所の曲線状ハーフカット部分Ｃ１、Ｃ２、Ｃ３（円弧状の切り込み部分）を有している。３箇所の曲線状ハーフカット部分Ｃ１、Ｃ２、Ｃ３はストロー孔部分２０の最外殻の仮想円を定義する様に形成されている。
曲線状或いは円弧状のハーフカット部分Ｃ１は、ハーフカットを施されていない部分（未ハーフカット部分）Ｃ１Ｂにより、曲線状或いは円弧状の部分Ｃ１１、Ｃ１２に分離されている。同様に、円弧状のハーフカット部分Ｃ２は、未ハーフカット部分Ｃ２Ｂにより円弧状部分Ｃ２１、Ｃ２２に分離され、円弧状のハーフカット部分Ｃ３は、未ハーフカット部分Ｃ３Ｂにより円弧状部分Ｃ３１、Ｃ３２に分離されている。【００２７】
ストロー孔部分２０には、円弧状のハーフカット部分Ｃ１〜Ｃ３が構成する円（仮想円）の内側に、正三角形の三辺を構成する様に配置された直線状のハーフカット部分ＴＬ１、ＴＬ２、ＴＬ３（第１の直線状の切り込み部分）ハーフカット部分が形成されている。
換言すれば、直線状のハーフカット部分ＴＬ１、ＴＬ２、ＴＬ３は、正三角形の３つの頂点を省略した様な形状を構成する様に配置されている。そして、直線状のハーフカット部分ＴＬ１、ＴＬ２、ＴＬ３は、円弧状ハーフカット部分Ｃ１、Ｃ２、Ｃ３によって定義される仮想円の外側に頂点が位置する正三角形（仮想正三角形）を定義している。【００２８】
ここで、直線状のハーフカット部分ＴＬ１、ＴＬ２、ＴＬ３で定義される仮想正三角形の重心は、円弧状のハーフカット部分Ｃ１、Ｃ２、Ｃ３によって定義される仮想円の中心と一致している。そして、前記仮想正三角形の重心或いは前記仮想円の中心は、未ハーフカット部分ＢＢＣの中心でもある。
図５では、図面が煩雑化することを防止するため、前記仮想正三角形の重心、前記仮想円の中心、或いは、未ハーフカット部分ＢＢＣの中心については、符号を付して図示することをしていない。ただし、未ハーフカット部分ＢＢＣは小さな領域であるため、本明細書においては、簡略化のために、前記仮想正三角形の重心或いは前記仮想円の中心を、符号ＢＣＣで表現する場合がある。【００２９】
直線状のハーフカット部分ＴＬ１は、未ハーフカット部分ＴＬ１Ｂにより、直線状の部分ＴＬ１１、ＴＬ１２に分離されている。
同様に、直線状のハーフカット部分ＴＬ２は、未ハーフカット部分ＴＬ２Ｂにより直線状の部分ＴＬ２１、ＴＬ２２に分離され、直線状のハーフカット部分ＴＬ３は、未ハーフカット部分ＴＬ３Ｂにより直線状の部分ＴＬ３１、ＴＬ３２に分離されている。【００３０】
ストロー孔部分２０において、円弧状のハーフカット部分Ｃ１〜Ｃ３が構成する円の中心から、直線状のハーフカット部分ＴＬ１、ＴＬ２、ＴＬ３が構成する正三角形の各頂点に向かう様に、或いは、円弧状のハーフカット部分Ｃ１〜Ｃ３が構成する円の半径方向外方へ延在する様に、３本の直線状のハーフカット部分ＴＬＣ１、ＴＬＣ２、ＴＬＣ３（第２の直線状切り込み部分）が形成されている。
ハーフカット部分ＴＬＣ１は、ハーフカット部分ＴＬ１、ＴＬ３が形成する角度の２等分線（仮想線）上に配置されている。
ハーフカット部分ＴＬＣ２は、ハーフカット部分ＴＬ１、ＴＬ２が形成する角度の２等分線（仮想線）上に配置されている。
ハーフカット部分ＴＬＣ３は、ハーフカット部分ＴＬ２、ＴＬ３が形成する角度の２等分線（仮想線）上に配置されている。
図５において、符号ＥＴＬＣ１はハーフカット部分ＴＬＣ１の正三角形頂点側（Ｃ１〜Ｃ３が構成する円の中心とは反対側）の端部であり、符号ＥＴＬＣ２はハーフカット部分ＴＬＣ２の正三角形頂点側（Ｃ１〜Ｃ３が構成する円の中心とは反対側）の端部であり、符号ＥＴＬＣ３はハーフカット部分ＴＬＣ３の正三角形頂点側（Ｃ１〜Ｃ３が構成する円の中心とは反対側）の端部である。【００３１】
上述したように、円弧状のハーフカット部分Ｃ１〜Ｃ３が構成する円の中心と、直線状のハーフカット部分ＴＬ１、ＴＬ２、ＴＬ３が構成する正三角形の重心とは一致している。
そして、３本の直線状のハーフカット部分ＴＬＣ１、ＴＬＣ２、ＴＬＣ３は、円弧状のハーフカット部分Ｃ１〜Ｃ３が構成する円の中心（或いは、ハーフカット部分ＴＬ１、ＴＬ２、ＴＬ３が構成する正三角形の重心）において、未ハーフカット部分ＢＣＣによって分離している。
換言すれば、円弧状のハーフカット部分Ｃ１〜Ｃ３が構成する円の中心は、或いは、直線状のハーフカット部分ＴＬ１〜ＴＬ３が構成する正三角形の重心は、未ハーフカット部分ＢＣＣとなっている。【００３２】
図５で示すストロー孔部分２０において、正三角形を構成する３本の直線状のハーフカット部分ＴＬ１〜ＴＬ３と、円弧状のハーフカット部分Ｃ１〜Ｃ３が構成する円の中心（或いは、ハーフカット部分ＴＬ１、ＴＬ２、ＴＬ３が構成する正三角形の重心）と前記正三角形の各頂点とを接続するように延びる３本の直線状のハーフカット部分ＴＬＣ１〜ＴＬＣ３の間の領域には、３本の直線状のハーフカット部分ＴＬＭ１、ＴＬＭ２、ＴＬＭ３（第３の直線状切り込み部分）が形成されている。
より詳細には、直線状のハーフカット部分ＴＬＭ１は、直線状のハーフカット部分ＴＬ１、ＴＬＣ１、ＴＬＣ２で構成される二等辺三角形状の領域内において、ハーフカット部分ＴＬ１と平行に形成されている。
直線状のハーフカット部分ＴＬＭ２は、直線状のハーフカット部分ＴＬ２、ＴＬＣ２、ＴＬＣ３で構成される二等辺三角形状の領域内において、ハーフカット部分ＴＬ２と平行に形成されている。
直線状のハーフカット部分ＴＬＭ３は、直線状のハーフカット部分ＴＬ３、ＴＬＣ３、ＴＬＣ１で構成される二等辺三角形状の領域内において、ハーフカット部分ＴＬ３と平行に形成されている。【００３３】
上述した円弧状のハーフカット部分Ｃ１、Ｃ２、Ｃ３（円を形成するハーフカット部分）、直線状のハーフカット部分ＴＬ１、ＴＬ２、ＴＬ３（正三角形を構成するハーフカット部分）、３本の直線状のハーフカット部分ＴＬＣ１、ＴＬＣ２、ＴＬＣ３（円の中心から半径方向外方へ延在するハーフカット部分）、３本の直線状のハーフカット部分ＴＬＭ１、ＴＬＭ２、ＴＬＭ３（ＴＬ１〜ＴＬ３と、ＴＬＣ１〜ＴＬＣ３との間の領域に形成されたハーフカット部分）は、各々が他のハーフカット部分と連続してしまうことはなく、相互に独立した状態で蓋１０の中心位置に形成されている。【００３４】
次に、図６を参照して、図５で示すストロー孔部分２０におけるレイアウト及び寸法の一例を説明する。
図６において、円弧状の部分Ｃ１１の曲率半径が符号Ｒ１で示されており、曲率半径Ｒ１は例えば３ｍｍに設定されている。ここで、曲率半径Ｒ１は、円弧状のハーフカット部分Ｃ１、Ｃ２、Ｃ３で構成される円の曲率半径であり、円弧状のハーフカット部分Ｃ１、Ｃ２、Ｃ３及びその部分Ｃ１１、Ｃ１２、Ｃ２１、Ｃ２２、Ｃ３１、Ｃ３２で共通している。【００３５】
符号Ｒ２は、直線状のハーフカット部分ＴＬＣ１〜ＴＬＣ３の各々における正三角形の頂点側端部ＥＴＬＣ１、ＥＴＬＣ２、ＥＴＬＣ３を結んで出来る仮想円ＲＥの曲率半径であり、例えば２．５ｍｍである。図６では、仮想円ＲＥ全体は示されておらず、ハーフカット部分ＴＬＣ１の端部ＥＴＬＣ１、ハーフカット部分ＴＬＣ２の端部ＥＴＬＣ２とを仮想的に結ぶ仮想円弧のみが示されている。
円弧状のハーフカット部分Ｃ１〜Ｃ３で構成される円の中心、或いは、直線状のハーフカット部分ＴＬＣ１〜ＴＬＣ３で構成される正三角形の重心は、上述した様に、未ハーフカット部分ＢＣＣとなっているが、この未ハーフカット部分ＢＣＣの直径が符号φ１で示されており、例えば０．１ｍｍである。換言すると、φ１（＝０．１ｍｍ）は、３本のハーフカット部分ＴＬＣ１〜ＴＬＣ３における前記円の中心側（前記正三角形の重心側）端部を結ぶ仮想円の直径である。【００３６】
直線状のハーフカット部分ＴＬＣ３、ＴＬＣ１が形成する角度（中心角）は符号ψで示されており、１２０°に設定されている。中心角ψは、ハーフカット部分ＴＬＣ１、ＴＬＣ２が形成する角度と、ハーフカット部分ＴＬＣ２、ＴＬＣ３が形成する角度と同一である。
ここで、中心角とは、円弧状のハーフカット部分Ｃ１〜Ｃ３で構成される円の中心（直線状のハーフカット部分ＴＬＣ１〜ＴＬＣ３で構成される正三角形の重心と一致する）に対して為す角度を意味している。
円弧状ハーフカット部分Ｃ３における部分Ｃ３１の中心角θ１と、部分Ｃ３２の中心角θ２とは同一角度であり、例えば３７．５°である。部分Ｃ３１と部分Ｃ３２とを分離する未ハーフカット部分Ｃ３Ｂの中心角θＣＢは、例えば５°である。ここで、中心角θＣＢは、直線状ハーフカット部分ＴＬ３における部分ＴＬ３１とＴＬ３２とを分離する未ハーフカット部分ＴＬ３Ｂの中心角でもある。
図６で示す中心角θＣＢ（＝５°）は、部分Ｃ１１とＣ１２とを分離する未ハーフカット部分Ｃ１Ｂ、部分Ｃ２１と部分Ｃ２２とを分離する未ハーフカット部分Ｃ２Ｂ、部分ＴＬ１１とＴＬ１２とを分離する未ハーフカット部分ＴＬ１Ｂ、部分ＴＬ２１とＴＬ２２とを分離する未ハーフカット部分ＴＬ２Ｂの各々における中心角と同一である。
なお、図６で示す中心角θＣＢ（＝５°）は、未ハーフカット部分ＴＬ１Ｂ〜ＴＬ３Ｂが少なくとも０．２ｍｍ以上となる様に設定されている。【００３７】
図６において、部分Ｃ３２の右端部と、直線状ハーフカット部分ＴＬＣ１の延長線とが為す中心角θＣＭは、例えば２０°である。そして、直線状ハーフカット部分ＴＬＣ１の延長線は、部分Ｃ３２の右端部と部分Ｃ１１の左端部との中心線となっているので、円弧状ハーフカット部分Ｃ３とＣ１との間に存在する未ハーフカット部分の中心角はθＣＭの２倍である（＝２×θＣＭ＝４０°）。そして、円弧状ハーフカット部分Ｃ３、Ｃ１間の未ハーフカット部分の中心角２θＣＭ（＝４０°）は、ハーフカットＣ１、Ｃ２間の未ハーフカット部分の中心角及びハーフカットＣ２、Ｃ３間の未ハーフカット部分の中心角と同一である。
直線状ハーフカット部分ＴＬ３の部分ＴＬ３２の右端部と、直線状ハーフカット部分ＴＬ１の部分ＴＬ１１の左端部とを結ぶ直線の長さ（弦の長さ）ＢＨＣとしては、例えば１ｍｍに設定されている。【００３８】
図５、図６で示すストロー孔部分２０を形成するハーフカット部分及び未ハーフカット部分のおのおのについて、形成することによる作用効果や寸法や範囲を設定した理由等について、図５〜図７を参照して説明する。
図５の円弧状のハーフカット部分Ｃ１〜Ｃ３は、ストロー孔部分２０の中心ＢＣＣから一定の範囲については、同一の力でストロー１４が突き刺さり、蓋１０を貫通できるようにするため、当該一定の範囲を円形領域として定義するため、当該円形領域の最外殻である円周を定義するために、設けられている。【００３９】
ここで、ストロー孔部分２０の最外殻を定義するハーフカット部分Ｈｃが三角形状であると、当該三角形状の範囲は「ストロー孔部分２０の中心ＢＣＣから一定の範囲」ではなくなってしまう。そのため、「同一の力でストロー１４が突き刺さり、蓋１０を貫通できる」領域が、目視により把握することが困難になってしまう。
換言すれば、三角形の重心を目視するよりも、円の中心を目視することの方が容易であり、ストロー１４を突き刺すべき箇所に確実にストロー１４を突き刺すことが出来るようにするため、ストロー孔部分２０の最外殻を定義するハーフカット部分Ｃ１、Ｃ２、Ｃ３は、ストロー孔部分２０の中心ＢＣＣと同一の曲率中心を有する円弧として形成したのである。
さらに、円弧状のハーフカット部分Ｃ１〜Ｃ３を最外殻部分とすることにより、ストロー孔部分２０の面積を、最外殻が三角形や四角形の場合に比較して、増加することが出来る。【００４０】
図５において、ストロー孔部分２０の中心ＢＣＣから半径方向外方へ延在する直線状ハーフカット部分ＴＬＣ１、ＴＬＣ２、ＴＬＣ３は、ストロー１４を突き刺し易くするために形成されている。
ストロー１４を蓋１０に突き刺した部分の断面（ストロー１４先端の断面）は、図７において符号１４Ｅ１、１４Ｅ２、１４Ｅ３、１４ＥＣで示す様に、三日月状となる。図７から明らかな様に、係る三日月状の断面形状を有するストロー１４先端は、ストロー孔部分２０の中心から半径方向外方へ延在する直線状ハーフカット部分ＴＬＣ１、ＴＬＣ２、ＴＬＣ３内の２個或いは３個の近傍に配置されることになる。従って、ストロー１４を押圧する力が、ハーフカット部分ＴＬＣ１〜ＴＬＣ３へ確実に作用するので、蓋１０における未ハーフカット部分に比較して厚さ寸法が薄い（概略１／４〜１／２）のハーフカット部分Ｈｃに対して、当該押圧力による応力が集中し、ハーフカット部分ＴＬＣ１〜ＴＬＣ３が破損する。
特に、ストロー孔部分２０の中心ＢＣＣにストロー１４を突き刺した場合には、ストロー先端１４Ｅが直線状ハーフカット部分ＴＬＣ１〜ＴＬＣ３を貫通するので、ストロー１４を押圧する力に起因する応力が、ハーフカット部分ＴＬＣ１〜ＴＬＣ３に集中し易くなり、ストロー１４で蓋１０を突き通すことが容易になる。【００４１】
図５において、ストロー孔部分２０に形成された正三角形を構成する３本の直線状のハーフカット部分ＴＬ１〜ＴＬ３と、ハーフカット部分ＴＬ１〜ＴＬ３と平行に形成された３本の直線状ハーフカット部分ＴＬＭ１〜ＴＬＭ３は、円弧状ハーフカット部分Ｃ１〜Ｃ３と、中心ＢＣＣから半径方向外方へ延在する直線状ハーフカット部分ＴＬＣ１〜ＴＬＣ３との間の領域において、その領域中における（蓋１０の材料の）未ハーフカット部分の面積を少なくして、均一な力で且つ比較的小さな力でストロー１４を蓋１０に突き刺すことが可能であることを確保するために形成されている。
すなわち、ハーフカット部分ＴＬ１〜ＴＬ３と直線状ハーフカット部分ＴＬＭ１〜ＴＬＭ３とを設けることによって、ハーフカット部分の数を増加してストロー孔部分２０で未ハーフカット部分が占める面積を少なくでき、ストロー孔部分２０の全ての領域において、蓋１０をストロー１４で突き刺すのに必要な力を比較的低いレベルに留めることが出来る。【００４２】
また、ハーフカット加工により形成されるストロー孔部分２０において、蓋１０により飲料用容器１２内に密封されている飲料が漏出してしまうことは許されない。従って、ストロー孔部分２０の条件として最優先とされるのは、蓋１０による密封状態が保持されることである。
そして、「蓋１０による密封状態が保持される」という条件を充足した上で、ストロー１４で蓋１０を貫通し易いという条件が要求される。【００４３】
「蓋１０による密封状態が保持される」という条件を充足するために、図２を参照して説明したように、ハーフカットＨｃの深さＤは、蓋１０を構成する合成樹脂材料の厚さ寸法の約１／４〜約１／２、好ましくは約１／３に設定されており、図示の実施形態では、例えば、厚さ１９５μｍの合成樹脂材料Ｒに対して、ハーフカットＨｃの深さＤは約６０μｍ（蓋１０の材料の厚さに対して約１／３）に設定されている。
すなわち、ハーフカットＨｃの深さＤが、蓋１０を構成する合成樹脂材料の厚さ寸法の約１／２よりも深いと、ストロー１４を突き刺す以前の段階で、何らかの拍子にハーフカットＨｃが裂けてしまい、容器１２内に密封されている飲料が漏出してしまう恐れがある。
一方、ハーフカットＨｃの深さＤが、蓋１０を構成する合成樹脂材料の厚さ寸法の約１／４よりも浅いと、ストロー１４で蓋１０のストロー孔部分２０を突き刺して貫通するのに、大きな力が必要となってしまう。
そのため、ハーフカットＨｃの深さＤは、蓋１０を構成する合成樹脂材料の厚さ寸法の約１／４〜約１／２、好ましくは約１／３に設定されている。【００４４】
図５において、ストロー孔部分２０の中心ＢＣＣから半径方向外方へ延在する直線状ハーフカット部分ＴＬＣ１、ＴＬＣ２、ＴＬＣ３は、ストロー１４を突き刺し易くするために形成されている。それと共に、直線状ハーフカット部分ＴＬＣ１〜ＴＬＣ３の半径方向外方端部ＥＴＬＣ１、ＥＴＬＣ２、ＥＴＬＣ３の近傍領域の何れかは、ストロー１４をストロー孔部分２０に突き刺したときに、応力集中が生じてハーフカット部分が裂けて、空気孔として作用する様に形成されている。
係る空気孔を確保することにより、ストロー１４を突き刺して飲料品を飲む際に、容器１２の外部から容器１２内へ空気が流れる通路が確保されるので、ストロー１４周囲に係る空気通路が形成されることにより異音が生じる事態を防止することが出来る。【００４５】
図５、図６において、ハーフカット部分間の距離は、少なくとも０．２ｍｍ以上となる様に設定されている。飲料が充填された容器１２に衝撃力が作用した際に、ハーフカット部分が破損して、容器１２に充填された飲料が漏出しないようにするためである。
飲料用容器１２については、複数の容器１２を１パックに梱包して、梱包品を多数積層して運搬する場合がある。係る運搬に際して、積層状態の梱包品を載置する際に、容器１２に対して衝撃が作用する可能性がある。また、個々のユーザーが購入後、飲料用容器１２を落下してしまう場合においても、容器１２に対して衝撃が作用する。
この様に容器１２に衝撃が作用した場合において、ストロー孔部分２０が簡単に破損して、内容物である飲料が漏出することがないように、ストロー孔部分２０には、一定以上の耐衝撃性が要求される。
ハーフカット部分Ｈｃ間の距離（間隔）が少なくとも０．２ｍｍ以上となる様に設定されているのは、その様な耐衝撃性を確保するためである。すなわち、ハーフカット部分の間隔が０．２ｍｍ未満であると、衝撃が作用した際には、間隔が０．２ｍｍ未満の領域に応力が集中して、ハーフカット部分が連続し、そこから裂けてしまう恐れがある。【００４６】
また、ハーフカット部分の間隔が０．２ｍｍ未満であると、ストロー孔部分２０をストロー１４で突き刺した際に、或いは、衝撃その他の外力が作用した際に、ハーフカット部分Ｈｃ加工された箇所の端部から亀裂が進行し、隣接するハーフカット部分同士がつながってしまう。ハーフカット加工された箇所同士がつながって、閉じた領域を形成してしまうと、当該閉じた領域に含まれる蓋１０の材料（合成樹脂）が蓋１０の残部から分離して、飲料内に落下してしまう。
係る事態を防止するためにも、ハーフカット部分の間隔が、少なくとも０．２ｍｍ以上となる様に設定している。【００４７】
発明者による実験では、ストロー孔部分２０に対して不適当なハーフカット加工を施した場合には、ストロー孔部分２０のみならず、合成樹脂製の蓋１０の全体に亘って（蓋１０を横断する様に）弦状の亀裂が発生し、係る現状の亀裂から容器１２の内容物である飲料が漏出してしまう恐れがあることが分かった。
当該現状の亀裂は、ストロー孔部分２０の直径（＝円弧状のハーフカット部分Ｃ１〜Ｃ３の曲率半径×２）が大きい場合にも、発生してしまうことが、発明者による実験で判明した。
そして発明者による実験では、ストロー孔部分２０に形成される個々のハーフカット部分の長さが３．０ｍｍ以下（好ましくは２．５ｍｍ以下）で、且つ、ストロー孔部分２０の直径が８．０ｍｍ以下（好ましくは７．０ｍｍ以下）であれば、その様な亀裂が発生しないことが分かった。
係る実験結果に基づいて、ストロー孔部分２０が設定されている。換言すれば、図６で示す曲率半径や中心角は、「ストロー孔部分２０に形成される個々のハーフカット部分の長さが３．０ｍｍ以下（好ましくは２．５ｍｍ以下）で、且つ、ストロー孔部分２０の直径が８．０ｍｍ以下（好ましくは７．０ｍｍ以下）」と言う条件を充足するように設定されている。【００４８】
なお、発明者の実験では、蓋１０を横断する様に発生する弦状の亀裂が発生するか否かについては、特に、ストロー孔部分２０の直径寸法の影響が大きいことが確認されている。
一方、蓋１０全体を横断しない様な亀裂の発生については、個々のハーフカット部分の長さが大きく影響することが、発明者の実験で明らかになっている。【００４９】
図５において、ストロー孔部分２０の中心ＢＣＣから半径方向外方へ延在する直線状ハーフカット部分ＴＬＣ１、ＴＬＣ２、ＴＬＣ３は、円弧状のハーフカット部分Ｃ１〜Ｃ３で構成される円まで到達しておらず、ハーフカット部分ＴＬＣ１、ＴＬＣ２、ＴＬＣ３の各々における半径方向外方の領域には、未ハーフカット部分となっている。
係る未ハーフカット部分は、図８において、点線で示す領域ＵＨｃ１、ＵＨｃ２、ＵＨｃ３として、表現されている。
未ハーフカット部分ＵＨｃ１、ＵＨｃ２、ＵＨｃ３を設けると、ストロー孔部分２０をストロー１４で突き刺した際に、ハーフカット部分Ｈｃで合成樹脂が裂けて、図９で示す様に裂けてしまったハーフカット部分Ｈｃで囲まれた領域ＤＰが下方に垂れ下がったとしても、未ハーフカット部分ＵＨｃ１、ＵＨｃ２、ＵＨｃ３が残存するため、領域ＤＰは蓋１０から分離することなく、蓋１０に残存する。そのため、領域ＤＰを構成する合成樹脂の細片（或いは切片）が、蓋１０の下方に存在する飲料品に混入してしまうことが防止される。【００５０】
発明者は、図１〜図９を参照して説明された図示の実施形態に係る合成樹脂製の蓋１０について、従来のアルミニウム箔と樹脂との積層体製の蓋（アルミキャップ）との比較実験を含む各種実験を行った。
先ず、図示の実施形態に係る蓋１０について、ストロー１４の突き刺し位置と、蓋１０を貫通するのに必要な突き刺し強さとを計測した。
図１０は、係る実験におけるストロー１４の突き刺し位置を示している。図１０において、ストロー１４の突き刺し位置は、ハッチングを付して示す位置ａ、ｂ、ｃ、ｄである。
位置ａは、ストロー孔部分２０の中心近傍位置であり、ストロー孔部分２０の中心と同心の円形図形として示されている。
位置ｂは、図８における未ハーフカット部分ＵＨｃ１〜ＵＨｃ３に相当する位置であり、位置ｃは位置ａから外れているが、ストロー孔部分２０内の位置である。
位置ｄはストロー孔部分２０から外れた位置である。より詳細には、位置ｄは、ストロー孔部分２０の最外殻を定義する円弧状のハーフカット部分Ｃ１から１．５ｍｍ離隔している。【００５１】
位置ａ〜ｄの各々に対してストロー１４を突き刺した回数（Ｎ数）と、ストロー１４が蓋１０或いはストロー孔部分２０を貫通するのに必要な強さ（ストロー突き刺し強さ）と、ストロー１４を突き刺した回数の内でストロー１４の先端が折れ曲がってしまった回数（ストロー先端折れ）とを、下表１で示す。なお、ストロー突き刺し強さは、容器を固定した状態で、直径４ｍｍのストローを毎分１００ｍｍの速度（等速）でストロー突き刺し用領域に突き刺し、ストローが貫通するまでの最大応力を引張圧縮試験機（ストログラフ）を用いて測定した。
表１
2010024148.tif 000003
【００５２】
同様な実験態様にて計測した従来のアルミキャップのストロー突き刺し強さは、全域に亘って概略均一であり、８．８３Ｎであった。
表１で示す「ストロー突き刺し結果」を、従来のアルミキャップにおけるストロー突き刺し強さ８．８３Ｎとを比較すれば、図示の実施形態では、ストロー孔部分２０内（円弧状ハーフカット部分Ｃ１〜Ｃ３で定義される円の内部）であれば、従来のアルミキャップと同程度のストロー突き刺し強さで、ストロー１４で蓋１０を貫通することが出来ることが明らかである。
特に、ストロー孔部分２０の中心部近傍（図１０の位置ａ）については、従来のアルミキャップよりも弱い力で、ストロー１４を突き刺すことが出来る。【００５３】
なお、ストロー孔部分２０から１．５ｍｍ離隔した位置ｄについては、ストロー１４で蓋１０を突き刺すためには、従来のアルミキャップよりも強い力が必要であった。
しかし、位置ｄの「ストロー先端折れ」を参照すれば明らかな様に、図示の実施形態では、ストロー孔部分２０から１．５ｍｍ離隔した箇所（位置ｄ）にストロー１４を突き刺しても、ストロー１４が折れ曲がることなく、全ての試行において蓋１０を突き通すことが出来た。
すなわち、図示の実施形態によれば、ストロー１４を突き刺し難い箇所にストロー１４を突き刺しても、ストロー１４の先端が折れ曲がることなく、蓋１０を突き通すことが出来ることが判明した。【００５４】
図示の実施形態に係る蓋１０をストロー１４で貫通した際に、蓋１０を構成する合成樹脂材料が、容器１２内に落下するか否かの実験も、発明者は行なった。
係る実験では、ストロー１４により蓋１０を貫通する動作を５０回繰り返したが、蓋１０を構成する合成樹脂材料の細片が容器１２内に落下することはなかった（落下回数：０／５０）。
従来のアルミキャップについても同様な実験を行なったが、図示の実施形態と同様な結果であった。【００５５】
別の実験では、図示の実施形態に係る蓋１０により飲料が充填された容器１２を塞ぎ、正立状態で、高さ５０ｃｍから床面に２回落下して、破損の有無を確認した。係る実験を５０回実行したが、破損はしなかった（破損回数：０／５０）。
このことから、図示の実施形態に係る蓋１０は、十分な耐衝撃性を備えていることが分かった。
従来のアルミキャップについても同様な実験を行なったが、図示の実施形態と同様な結果であった。【００５６】
上述した実験の結果、図示の実施形態に係る蓋１０は、衝撃が付加されても容器１２の内容物である飲料が漏出する恐れがなく、ストロー１４を突き刺すのに必要な力は従来のアルミキャップと同様であり、且つ、ストロー１４を突き刺した際に飲料に蓋１０の材料は混入しないことが明らかになった。【００５７】
図示の実施形態はあくまでも例示であり、本発明の技術的範囲を限定する趣旨の記述ではない旨を付記する。
【図１】
2010024148.tif 000004
【図２】
2010024148.tif 000005
【図３】
2010024148.tif 000006
【図４】
2010024148.tif 000007
【図５】
2010024148.tif 000008
【図６】
2010024148.tif 000009
【図７】
2010024148.tif 000010
【図８】
2010024148.tif 000011
【図９】
2010024148.tif 000012
【図１０】
2010024148.tif 000013
【国際調査報告】
2010024148.tif 000014
2010024148.tif 000015
2010024148.tif 000016
2010024148.tif 000017